(57)【要約】【課題】締め込み状態の確認を簡単且つ正確に判定することのできる管継手の締め付け角度判定方法及び、その判定に用いられ管継手の締め付け角度を簡単に判定することのできる治具を提供する。【解決手段】板状体の一辺に設けられて管継手１０の外周面に当接して管継手に対する前記一辺の位置決めを行う切欠き凹部２０ｂを備えるとともに、切欠き凹部２０ｂを管継手の外周面に当接させた状態で、切欠き凹部２０ｂに近接した位置で管継手１０の経線方向に設けられた基準スリット２０ｃと、基準スリット２０ｃに対して規定角度傾斜した位置に設けられた判定用スリット２０ｆとを備えた角度判定治具２０を使用し、本締め後に切欠き凹部２０ｂを継手１０の外周面に当接させ、雌ナット１２の外面に記入された基準線２１ａと基準スリット２０ｃとを直線状に配置した状態で、雄ナット１１の基準線２１ｂが判定用スリット２０ｆ内にあるときに合格と判定する。【選択図】図１
2008216156.tif 000002
【特許請求の範囲】
【請求項１】
筒状の雄ナットと袋状の雌ナットとを締結して管体同士を接続する際に、前記雌ナットと雄ナットを予備締めした状態で、該両の外面にそれぞれ設けられた管継手の軸線に平行な基準線が１本の直線状に配置されていることを確認した後、前記両ナットを相対的にあらかじめ設定された規定角度だけ絞め込んで本締めを行う管継手の締め付け角度判定方法において、板状体の一辺に設けられて前記管継手の外周面に当接して前記管継手に対する板状体の一辺の位置決めを行う切欠き凹部を備えるとともに、該切欠き凹部を前記管継手の外周面に当接させた状態で、該切欠き凹部に近接した位置で前記管継手の経線方向に設けられた基準スリットと、該基準スリットに対して前記規定角度傾斜した位置に設けられた判定用スリットとを備えた角度判定治具を使用し、本締め後に前記切欠き凹部を前記継手の外周面に当接させるとともに、前記雌ナットの外面及び前記雄ナットの外面に記入されたいずれか一方の基準線と前記基準スリットとを直線状に配置した状態で他方の基準線が前記判定用スリット内にあるときに合格と判定することを特徴とする管継手の締め付け角度判定方法。
【請求項２】
筒状の雄ナットと袋状の雌ナットとを締結して管体同士を接続する際に、前記雌ナットと雄ナットとを予備締めした状態で前記雌ナットの外面及び前記雄ナットの外面にわたって管継手の軸線に平行な１本の基準線を記入した後、両ナットを相対的にあらかじめ設定された規定角度だけ絞め込んで本締めを行う管継手の締め付け角度判定方法において、板状体の一辺に設けられて前記管継手の外周面に当接して前記管継手に対する板状体の一辺の位置決めを行う切欠き凹部を備えるとともに、該切欠き凹部を前記管継手の外周面に当接させた状態で、該切欠き凹部に近接した位置で前記管継手の経線方向に設けられた基準スリットと、該基準スリットに対して前記規定角度傾斜した位置に設けられた判定用スリットとを備えた角度判定治具を使用し、本締め後に前記切欠き凹部を前記継手の外周面に当接させるとともに、前記雌ナットの外面及び前記雄ナットの外面に記入されたいずれか一方の基準線と前記基準スリットとを直線状に配置した状態で他方の基準線が前記判定用スリット内にあるときに合格と判定することを特徴とする管継手の締め付け角度判定方法。
【請求項３】
筒状の雄ナットと袋状の雌ナットとを締結して管体同士を接続する際に、前記雌ナットと雄ナットを予備締めした状態で、該両の外面にそれぞれ設けられた管継手の軸線に平行な基準線が１本の直線状に配置されていることを確認した後、前記両ナットを相対的にあらかじめ設定された規定角度だけ絞め込んで本締めを行う管継手の締め付け角度の合否を判定するための管継手の締め付け角度判定治具であって、板状体からなり、該板状体の一辺に設けられて前記管継手の外周面に当接して前記管継手に対する板状体の一辺の位置決めを行う切欠き凹部を備えるとともに、該切欠き凹部を前記管継手の外周面に当接させた状態で、該切欠き凹部に近接した位置に前記管継手の経線方向に設けられた基準スリットと、該基準スリットに対して前記規定角度傾斜した位置に設けられた判定用スリットとを備えたことを特徴とする管継手の締め付け角度判定治具。
【請求項４】
筒状の雄ナットと袋状の雌ナットとを締結して管体同士を接続する際に、前記雌ナットと雄ナットとを予備締めした状態で前記雌ナットの外面及び前記雄ナットの外面にわたって軸線に平行な１本の基準線を記入した後、両ナットを相対的にあらかじめ設定された規定角度だけ絞め込んで本締めを行う管継手の締め付け角度の合否を判定するための管継手の締め付け角度判定治具であって、板状体からなり、該板状体の一辺に設けられて前記管継手の外周面に当接して前記管継手に対する板状体の一辺の位置決めを行う切欠き凹部を備えるとともに、該切欠き凹部を前記管継手の外周面に当接させた状態で、該切欠き凹部に近接した位置に前記管継手の経線方向に設けられた基準スリットと、該基準スリットに対して前記規定角度傾斜した位置に設けられた判定用スリットとを備えたことを特徴とする管継手の締め付け角度判定治具。
【請求項５】
前記基準スリットは、前記切欠き凹部を設けた一辺に対して直交する方向に設けられていることを特徴とする請求項３又は４記載の管継手の締め付け角度判定治具。
【請求項６】
前記判定スリットは、前記基準スリットの両側に設けられていることを特徴とする請求項３乃至５のいずれか１項記載の管継手の締め付け角度判定治具。
【請求項７】
前記板状体に、異なる外径の管継手に対応した複数組の切欠き凹部、基準スリット及び判定スリットを設けたことを特徴とする請求項３乃至６のいずれか１項記載の管継手の締め付け角度判定治具。
【請求項８】
前記切欠き凹部は、前記管継手の小径軸部の外径に対応した開口幅を有し、底部が前記小径軸部の外径に対応した半円形状に形成されていることを特徴とする請求項３乃至７のいずれか１項記載の管継手の締め付け角度判定治具。
【請求項９】
前記判定スリットは、前記規定角度に対する許容範囲に対応した扇形状に形成されていることを特徴とする請求項３乃至８のいずれか１項記載の管継手の締め付け角度判定治具。
【請求項１０】
前記板状体は、弾性変形可能な金属製薄板で形成されていることを特徴とする請求項３乃至９のいずれか１項記載の管継手の締め付け角度判定治具。
【発明の詳細な説明】
【技術分野】
【０００１】
本発明は、金属製管体同士を接続する際にメタルガスケット式や食い込み式等の金属同士の当接によって気密状態を保持する管継手の締め付け角度判定方法及び管継手の締め付け角度判定治具に関する。
【背景技術】
【０００２】
半導体製造用ガス配管の管継手は、一般的な配管に用いられる合成樹脂製ガスケットを使用することができないため、気密状態を金属同士の当接（メタルタッチ）で得るようにしている。このような管継手では、継手本体の雄ネジナットに雌ネジナットを締結する際に、ナットを手で締め付けて予備締めした状態で両ナットの外面に軸線に平行な基準線を記入した後、両ナットをスパナ等で本締めし、前記基準線があらかじめ設定された規定角度だけ回転したときに、管継手が適正な締め付け量で締結されたと判定するようにしている。ナットの回転角度を判定するための手段として、両ナットの外面に適正締付量表示ラベルを貼付する方法が提案されている（例えば、特許文献１参照。）。
【特許文献１】特許第３３３６５１５号公報
【発明の開示】
【発明が解決しようとする課題】
【０００３】
しかし、上述の特許文献１の方法では、両ナットの一組一組の外面にそれぞれラベルを貼付しなくてはならず、作業効率が良いとはいえず、また、複雑な配管系では、大量のラベルを必要とし、施工コストの上昇を招く。
【０００４】
そこで本発明は、締め込み状態の確認を簡単且つ正確に判定することのできる管継手の締め付け角度判定方法、及び、その判定に用いられ管継手の締め付け角度を簡単に判定することのできる治具を提供することを目的としている。
【課題を解決するための手段】
【０００５】
上記目的を達成するため、本発明は、筒状の雄ナットと袋状の雌ナットとを締結して管体同士を接続する際に、前記雌ナットと雄ナットを予備締めした状態で、該両の外面にそれぞれ設けられた管継手の軸線に平行な基準線が１本の直線状に配置されていることを確認した後、前記両ナットを相対的にあらかじめ設定された規定角度だけ絞め込んで本締めを行う管継手の締め付け角度判定方法において、板状体の一辺に設けられて前記管継手の外周面に当接して前記管継手に対する板状体の一辺の位置決めを行う切欠き凹部を備えるとともに、該切欠き凹部を前記管継手の外周面に当接させた状態で、該切欠き凹部に近接した位置で前記管継手の経線方向に設けられた基準スリットと、該基準スリットに対して前記規定角度傾斜した位置に設けられた判定用スリットとを備えた角度判定治具を使用し、本締め後に前記切欠き凹部を前記継手の外周面に当接させるとともに、前記雌ナットの外面及び前記雄ナットの外面に記入されたいずれか一方の基準線と前記基準スリットとを直線状に配置した状態で他方の基準線が前記判定用スリット内にあるときに合格と判定することを特徴としている。
【０００６】
また、筒状の雄ナットと袋状の雌ナットとを締結して管体同士を接続する際に、前記雌ナットと雄ナットとを予備締めした状態で前記雌ナットの外面及び前記雄ナットの外面にわたって管継手の軸線に平行な１本の基準線を記入した後、両ナットを相対的にあらかじめ設定された規定角度だけ絞め込んで本締めを行う管継手の締め付け角度判定方法において、板状体の一辺に設けられて前記管継手の外周面に当接して前記管継手に対する板状体の一辺の位置決めを行う切欠き凹部を備えるとともに、該切欠き凹部を前記管継手の外周面に当接させた状態で、該切欠き凹部に近接した位置で前記管継手の経線方向に設けられた基準スリットと、該基準スリットに対して前記規定角度傾斜した位置に設けられた判定用スリットとを備えた角度判定治具を使用し、本締め後に前記切欠き凹部を前記継手の外周面に当接させるとともに、前記雌ナットの外面及び前記雄ナットの外面に記入されたいずれか一方の基準線と前記基準スリットとを直線状に配置した状態で他方の基準線が前記判定用スリット内にあるときに合格と判定することを特徴としている。
【０００７】
さらに、筒状の雄ナットと袋状の雌ナットとを締結して管体同士を接続する際に、前記雌ナットと雄ナットを予備締めした状態で、該両の外面にそれぞれ設けられた管継手の軸線に平行な基準線が１本の直線状に配置されていることを確認した後、前記両ナットを相対的にあらかじめ設定された規定角度だけ絞め込んで本締めを行う管継手の締め付け角度の合否を判定するための管継手の締め付け角度判定治具であって、板状体からなり、該板状体の一辺に設けられて前記管継手の外周面に当接して前記管継手に対する板状体の一辺の位置決めを行う切欠き凹部を備えるとともに、該切欠き凹部を前記管継手の外周面に当接させた状態で、該切欠き凹部に近接した位置に前記管継手の経線方向に設けられた基準スリットと、該基準スリットに対して前記規定角度傾斜した位置に設けられた判定用スリットとを備えたことを特徴としている。
【０００８】
また、筒状の雄ナットと袋状の雌ナットとを締結して管体同士を接続する際に、前記雌ナットと雄ナットとを予備締めした状態で前記雌ナットの外面及び前記雄ナットの外面にわたって軸線に平行な１本の基準線を記入した後、両ナットを相対的にあらかじめ設定された規定角度だけ絞め込んで本締めを行う管継手の締め付け角度の合否を判定するための管継手の締め付け角度判定治具であって、板状体からなり、該板状体の一辺に設けられて前記管継手の外周面に当接して前記管継手に対する板状体の一辺の位置決めを行う切欠き凹部を備えるとともに、該切欠き凹部を前記管継手の外周面に当接させた状態で、該切欠き凹部に近接した位置に前記管継手の経線方向に設けられた基準スリットと、該基準スリットに対して前記規定角度傾斜した位置に設けられた判定用スリットとを備えたことを特徴としている。
【０００９】
また、前記管継手の締め付け角度判定治具の前記基準スリットは、前記切欠き凹部を設けた一辺に対して直交する方向に設けてもよく、さらに、前記判定スリットは、前記基準スリットの両側に設けてもよい。また、前記板状体に、異なる外径の管継手に対応した複数組の切欠き凹部、基準スリット及び判定スリットを設けることもでき、さらに、前記切欠き凹部は、前記管継手の小径軸部の外径に対応した開口幅を有し、底部が前記小径軸部の外径に対応した半円形状に形成されると好適である。また、前記判定スリットは、前記規定角度に対する許容範囲に対応した扇形状に形成してもよい。さらに、前記板状体は、弾性変形可能な金属製薄板で形成されていると好適である。
【発明の効果】
【００１０】
本発明によれば、雌ナットと雄ナットとを螺合させて予備締めし、金属同士のシール面を突き合わせた位置から、スパナ等の工具にて前記雌ナットと雄ナットとを本締めして締結した後に、雌ナットと雄ナットとにそれぞれ設けた基準線の一方と、締め付け角度判定治具に形成された基準スリットとの位置を合わせ、他方の基準線の位置と判定スリットとの位置を照合することによって、雌ナットと雄ナットの締め付け角度を目視によって簡単に判定することができる。
【発明を実施するための最良の形態】
【００１１】
図１は本発明の一形態例を示す管継手の締め付け角度判定状態を示す説明図、図２は雌ナットと雄ナットとに基準線を記入する状態の説明図、図３は雄ナットと雌ナットとの締め付けを示す説明図、図４は締め付け角度判定治具を示す斜視図、図５は管継手の断面図である。
【００１２】
本形態例に用いられるステンレス製の管継手１０は、半導体製造用ガスを製造装置や設備へ供給する配管に用いられるもので、雄ねじ１１ａを備えた筒状の雄ナット１１と雌ねじ１２ａを備えた袋状の雌ナット１２とにそれぞれ管体１３，１３を挿通し、各管体１３，１３の先端に設けられた先端シール面１３ａ，１３ａを金属製のガスケット１４を介して突き合わせ、雄ナット１１と雌ナット１２との締め付けによって前記ガスケット１４と両先端シール面１３ａ，１３ａとを金属同士で密着させて気密状態を得るようにしている。雄ナット１１と雌ナット１２とは、ガスケット１４と両先端シール面１３ａ，１３ａとが当接して手で締め付けたときには、これ以上締め付けることが困難な状態、いわゆる予備締めした状態となる。この予備締めした状態からスパナ等の工具により両ナット１１，１２をさらに締め付けると、両先端シール面１３ａ，１３ａがガスケット１４を変形させて食い込み、ガスケット１４と両先端シール面１３ａ，１３ａとが強く締め付けられて気密状態で連結された状態、いわゆる本締め状態となる。両ナット１１，１２を予備締め状態から本締め状態とするまでの両ナット１１，１２の相対的な回転角度、すなわち、工具にてナットを両ナット１１，１２を締結する角度は、各管継手毎に規定角度としてあらかじめ設定されており、規定角度未満でも、規定角度を超えても不適正な締付量となる。
【００１３】
各管体１３は、前記先端シール面１３ａ後方に大径フランジ部１３ｂが形成され、該大径フランジ部１３ｂに連続して中径部１３ｃと小径部１３ｄとが連続して形成されるとともに、管体１３の内周側に形成される流路１３ｅの先端部には、先端側に向けて漸次大径に形成される拡開部１３ｆが形成されて先端を先鋭化している。なお、小径部１３ｄの端面には、同径の配管が付き合わせ溶接されている。
【００１４】
雄ナット１１は、中心軸上に設けられる管体１３の挿通孔１１ｂと、先端側外周に形成される雄ねじ１１ａと、基端側外周に形成される六角形状の外面を有する大径の締結用フランジ１１ｃとを備えている。管継手１０の雄ナット１１側は、雄ナット１１の挿通孔１１ｂに管体１３の中径部１３ｃを挿通し、大径フランジ部１３ｂを雄ナット１１の先端面に当接させて管体１３を抜け止めし、先端シール面１３ａを雄ナット１１の先端側に突出させている。
【００１５】
雌ナット１２は、六角形状の外面を有する六角筒部材で形成され、先端側内周面に形成される雌ねじ１２ａと、底壁１２ｂの中心部に形成される管体挿通孔１２ｃと、雌ねじ１２ａの基端側に対向して形成される小径の通孔１２ｄ，１２ｄとを備えている。管継手１０の雌ナット１２側は、雌ナット１２の内周側から管体挿通孔１２ｃに管体１３が挿通され、大径フランジ部１３ｂを雌ナット１２の底壁１２ｂ内周側に当接させて管体１３を抜け止めし、先端シール面１３ａを雌ナット１２の内周側に配設させている。
【００１６】
このような管継手１０における前記予備締め状態から本締め状態までのナットの回転角度、すなわち締め付け角度は、図４に示す締め付け角度判定治具２０を用いて判定される。締め付け角度判定治具２０は、弾性変形可能な金属製薄板で形成されるもので、矩形状の基板２０ａの一辺中央部には、雄ナット１１の雄ねじ１１ａと締結用フランジ１１ｃとの間に形成される小径軸部１１ｄの外径に対応した開口幅を有し、底部が前記小径軸部１１ｄの外径に対応した半円形状に形成され、小径軸部１１ｄの外周面に当接する円弧状の切欠き凹部２０ｂと、該切欠き凹部２０ｂに近接した位置で、切欠き凹部２０ｂの周方向中心位置の延長線上に切欠き凹部２０ｂを設けた一辺に対して直交する方向で管継手１０の経線方向を向く直線状の基準スリット２０ｃと、基準スリット２０ｃの両側で、該基準スリット２０ｃに対して、工具にて雌ナット１２と雄ナット１１とを締結する規定角度と同一角度傾斜した位置に設けられた一対の判定スリット２０ｄ，２０ｄを備えている。この判定スリット２０ｄ，２０ｄは、規定角度に許容範囲がある場合には、許容角度範囲に応じて外周側が開いた扇状又は、台形状，四角形状に形成される。
【００１７】
さらに、基板２０ａの他端中央部には、他の管継手の小径部分の外周面に当接させる円弧状の切欠き凹部２０ｅと、前記基準スリット２０ｃに対して、他の管継手の雌ナットと雄ナットとを工具にて締結する規定角度と同一角度を有する直線状の判定スリット２０ｆ，２０ｆとをそれぞれ備え、また、側端中央部には、吊下げ紐等を挿通させる挿通孔２０ｇが穿設されている。
【００１８】
次に、締め付け角度判定治具２０を用いて管継手１０を施工する手順について説明する。まず、管継手１０の雄ナット１１側と雌ナット１２側のいずれか一方の管体１３の先端シール面１３ａにガスケット１４を装着し、雄ナット１１と雌ナット１２とを手締めにより回らなくなるまで締め付けて予備締めし、管体１３，１３の両先端シール面１３ａ，１３ａとガスケット１４とを突き合わせる。次いで、図２に示されるように、締め付け角度判定治具２０の基準スリット２０ｃを利用して、雌ナット１２の外面と雄ナット１１の締結用フランジ１１ｃの外面とに、管継手軸線に平行な１本の基準線２１ａ，２１ｂを罫描きする。なお、予め基準線２１ａ，２１ｂが設けられている雄ナット１１と雌ナット１２とを用いる場合には、基準線２１ａ，２１ｂの罫描きは省略でき、予備締め後、基準線２１ａ，２１ｂが１本の直線状に配置されていることを確認すればよい。次に、図３に示されるように、雄ナット１１の締結用フランジ１１ｃと雌ナット１２とをスパナ等の工具で、予め規定されている角度、例えば、図３に矢印で示す方向に４５度締め付けて本締め状態とする。
【００１９】
そして、図１に示されるように、雄ナット１１の小径軸部１１ｄに締め付け角度判定治具２０の一方の切欠き凹部２０ｂを当接させて管継手１０に対する締め付け角度判定治具２０の位置決めを行った状態で、前記基準線２１ａ，２１ｂのいずれか一方、例えば雌ナット１２側の基準線２１ａと直交する位置に基準スリット２０ｃが配置されるように締め付け角度判定治具２０を回動させ、締め付け角度判定治具２０の判定スリット２０ｄの位置と、雄ナット１１側の基準線２１ｂの位置を照合する。このとき、基準スリット２０ｃを、切欠き凹部２０ｂを設けた一辺に対して直交する方向に設けておくことにより、締め付け角度判定治具２０の位置や角度の調整を容易に行うことができる。
【００２０】
雄ナット１１側の基準線２１ｂの位置が、判定スリット２０ｄと直交する位置にあるときには、雌ナット１２と雄ナット１１の締め付け角度が予め設定されていた４５度であるから合格と判定される。また、前記基準線２１ｂの位置が判定スリット２０ｄよりも基準スリット２０ｃ側にあるときには、雌ナット１２と雄ナット１１の締め付け角度が４５度よりも小さく、前記基準線２１ｂの位置が判定スリット２０ｄよりも外側にあるときには、雌ナット１２と雄ナット１１の締め付け角度が４５度よりも大きいと判定される。このとき、判定スリット２０ｄを基準スリット２０ｃの両側に設けておくことにより、締め付け角度判定治具２０に表裏が無くなり、判定作業が容易となる。
【００２１】
また、雌ナットと雄ナットの規定された締め付け角度や径の異なる管継手の締め付け角度を判定する場合には、他方の切欠き凹部２０ｅと判定スリット２０ｆとが用いられ、基準スリット２０ｃは兼用される。
【００２２】
上述のように、管継手１０の締め付け角度の判定は、締め付け角度判定治具２０の基準スリット２０ｃ及び判定スリット２０ｄの隙間を通して、基準線２１ａ，２１ｂがどこに位置するかを視認することにより行われるので簡便に行うことができ、管継手１０の締め付け角度の判定作業を効率良く行うことができる。また、締め付け角度判定治具２０の基準スリット２０ｃを利用して雌ナット１２の外面と雄ナット１１の締結用フランジ１１ｃの外面とに基準線２１ａ，２１ｂを罫描きすることができるので、基準線２１ａ，２１ｂを簡単且つ正確に罫描きすることができる。
【００２３】
また、締め付け角度判定治具２０は、弾性変形可能な金属製薄板の所定の位置に切欠き凹部２０ｂ，２０ｅとスリット２０ｃ，２０ｄ，２０ｆを形成するのみの簡単な構造であることから安価に提供でき、また、小形で軽量であることから携帯に適しており、弾性変形可能であるから作業性にも優れている。
【００２４】
なお、本形態例では、雌ナット側の基準線と直交する位置に基準スリットが配置されるように締め付け角度判定治具を回動させ、締め付け角度判定治具の判定スリットの位置と雄ナット側の基準線の位置を照合しているが、雄ナット側の基準線と直交する位置に基準スリットが配置し、判定スリットの位置と雌ナット側の基準線の位置を照合するようにしても良い。
【００２５】
また、本発明は、管継手の構成は前記実施例に示したメタルガスケット式に限るものではなく、フレアー継手、フレアレス継手、圧縮式チューブ継手、食い込み式チューブ継手、メカニカルグリップ式チューブ継手等の各種管継手に適用可能である。
【図面の簡単な説明】
【００２６】
【図１】本発明の一形態例を示す管継手の締め付け角度判定状態を示す説明図である。
【図２】同じく雌ナットと雄ナットとに基準線を罫描きする説明図である。
【図３】同じく雄ナットを雌ナットに締め付ける状態を示す説明図である。
【図４】同じく締め付け角度判定治具を示す斜視図である。
【図５】同じく管継手の断面である。
【符号の説明】
【００２７】
１０…管継手、１１…雄ナット、１１ａ…雄ねじ、１１ｂ…挿通孔、１１ｃ…締結用フランジ、１１ｄ…小径軸部、１２…雌ナット、１２ａ…雌ねじ、１２ｂ…底壁、１２ｃ…管体挿通孔、１２ｄ…通孔、１３…管体、１３ａ…先端シール面、１３ｂ…大径フランジ部、１３ｃ…中径部、１３ｄ…小径部、１３ｅ…流路、１３ｆ…拡開部、１４…ガスケット、２０…締め付け角度判定治具、２０ａ…基板、２０ｂ，２０ｅ…切欠き凹部、２０ｃ…基準スリット、２０ｄ，２０ｆ…判定スリット、２０ｇ…挿通孔、２１ａ，２１ｂ…基準線
【図１】
2008216156.tif 000003
【図２】
2008216156.tif 000004
【図３】
2008216156.tif 000005
【図４】
2008216156.tif 000006
【図５】
2008216156.tif 000007